(57)【要約】【課題】  ハイウェイラジオ放送の音声情報ごとの放送エリアを切り替えるときに、異なる音声情報が混信状態となることを防止するハイウェイラジオシステム、ハイウェイラジオ送信機、およびハイウェイラジオ送信方法を提供する。【解決手段】  実施形態によれば、ハイウェイラジオ送信機は、放送処理部とタイマー回路部とＯＮ／ＯＦＦ制御部とを有する。放送処理部は、中央管理装置から放送を実行させるためのＯＮ制御情報を受信したときに、受信された音声情報により放送対象エリアに放送を実行し、受信された音声情報が切り替えられたときには切り替え前の音声情報の放送が完了した後に切り替え後の音声情報の放送を開始する。タイマー回路部は、放送停止状態のときに中央管理装置からＯＮ制御情報を受信すると、予め設定された時間を計測する。ＯＮ／ＯＦＦ制御部は、タイマー回路部で計測された時間が経過したときに、放送を開始させる。【選択図】図３
2012190325.tif 000002
【特許請求の範囲】
【請求項１】
ハイウェイラジオ放送の管理を行う中央管理装置と、この中央管理装置に接続され、放送する道路に所定距離間隔で設置された複数のハイウェイラジオ送信機とを備えたハイウェイラジオシステムにおいて、
前記中央管理装置は、
ハイウェイラジオの放送対象エリアに対応するハイウェイラジオ送信機に、放送を実行させるためのＯＮ制御信号を送信するとともに放送する音声情報を送信し、前記放送対象以外の無音エリアに対応するハイウェイラジオ送信機に、放送を停止させるためのＯＦＦ制御信号を送信する管理情報送信部を有し、
前記複数のハイウェイラジオ送信機はそれぞれ、
前記中央管理装置から送信された音声情報を受信する音声情報受信部と、
前記中央管理装置からＯＮ制御情報を受信したときに、前記音声情報受信部で受信された音声情報により前記放送対象エリアに放送を実行し、前記受信された音声情報が切り替えられたときには切り替え前の音声情報の放送が完了した後に切り替え後の音声情報の放送を開始する放送処理部と、
前記中央管理装置からＯＦＦ制御情報を受信し放送停止状態のときに、前記中央管理装置からＯＮ制御情報を受信すると、予め設定された時間を計測するタイマー回路部と、
前記タイマー回路部で計測された時間が経過したときに、前記放送処理部による放送を開始させるＯＮ／ＯＦＦ制御部と
を有することを特徴とするハイウェイラジオシステム。
【請求項２】
ハイウェイラジオの放送対象エリアに対応するハイウェイラジオ送信機に、放送を実行させるためのＯＮ制御信号を送信するとともに放送する音声情報を送信し、前記放送対象以外の無音エリアに対応するハイウェイラジオ送信機に、放送を停止させるためのＯＦＦ制御信号を送信する中央管理装置に接続されたハイウェイラジオ送信機において、
前記中央管理装置から送信された音声情報を受信する音声情報受信部と、
前記中央管理装置からＯＮ制御情報を受信したときに、前記音声情報受信部で受信された音声情報により前記放送対象エリアに放送を実行し、前記受信された音声情報が切り替えられたときには切り替え前の音声情報の放送が完了した後に切り替え後の音声情報の放送を開始する放送処理部と、
前記中央管理装置からＯＦＦ制御情報を受信し放送停止状態のときに、前記中央管理装置からＯＮ制御情報を受信すると、予め設定された時間を計測するタイマー回路部と、
前記タイマー回路部で計測された時間が経過したときに、前記放送処理部による放送を開始させるＯＮ／ＯＦＦ制御部と
を備えたことを特徴とするハイウェイラジオ送信機。
【請求項３】
前記タイマー回路部に予め設定される時間は、前記切り替え前の音声情報の放送が完了するのに十分な時間である
ことを特徴とする請求項２に記載のハイウェイラジオ送信機。
【請求項４】
ハイウェイラジオの放送対象エリアに対応するハイウェイラジオ送信機に、放送を実行させるためのＯＮ制御信号を送信するとともに放送する音声情報を送信し、前記放送対象以外の無音エリアに対応するハイウェイラジオ送信機に、放送を停止させるためのＯＦＦ制御信号を送信する中央管理装置に接続されたハイウェイラジオ送信機が、
前記中央管理装置から送信された音声情報を受信する音声情報受信ステップと、
前記中央管理装置からＯＮ制御情報を受信したときに、前記音声情報受信ステップで受信された音声情報により前記放送対象エリアに放送を実行し、前記受信された音声情報が切り替えられたときには切り替え前の音声情報の放送が完了した後に切り替え後の音声情報の放送を開始する放送処理ステップと、
前記中央管理装置からＯＦＦ制御情報を受信し放送停止状態のときに、前記中央管理装置からＯＮ制御情報を受信すると、予め設定された時間を計測する計時ステップと、
前記計時ステップで計測された時間が経過したときに、前記放送処理ステップによる放送を開始させるＯＮ／ＯＦＦ制御ステップと
を有することを特徴とするハイウェイラジオ送信方法。
【発明の詳細な説明】
【技術分野】
【０００１】
本発明の実施形態は、ハイウェイラジオシステム、ハイウェイラジオ送信機、およびハイウェイラジオ送信方法に関する。
【背景技術】
【０００２】
従来のハイウェイラジオシステムにおいては、音声情報を放送するハイウェイラジオ送信機が高速道路上に間隔を空けて設置され、これらのハイウェイラジオ送信機に中央管理装置１０からそれぞれ異なる音声情報が送信されて放送が行われていた。
【０００３】
このハイウェイラジオ送信機の設置間隔は例えば１０ｋｍ程度であり、送信エリアはそれよりも充分に狭い３ｋｍ程度であるため、各送信機から放送される音声情報は干渉し合うことがなく、車両において混信せずに音声情報の受信が可能である。
【０００４】
この従来のハイウェイラジオシステムで放送される放送エリアよりもさらに短い区間ごとにより詳細な情報を提供するため、図１および図２に示すようなハイウェイラジオシステム１が開発されている。
【０００５】
このハイウェイラジオシステム１においては、高速道路上に複数のハイウェイラジオ送信機２０−１〜２０−１０が従来よりも短い所定距離間隔で連続的に設置されてＩＰネットワーク等により中央管理装置１０に接続され、道路状況に応じてこれらのハイウェイラジオ送信機２０−１〜２０−１０それぞれのＯＮ／ＯＦＦが切り替えられることにより放送エリアが適宜変更される。
【０００６】
図１は、ハイウェイラジオシステム１における通常時の各ハイウェイラジオ送信機のＯＮ／ＯＦＦ状態を示す説明図であり、図２は、ハイウェイラジオシステム１における事故が発生したときの各ハイウェイラジオ送信機のＯＮ／ＯＦＦ状態を示す説明図である。
【０００７】
図１に示すように通常時には、ハイウェイラジオ送信機２０−１〜２０−１０のうちハイウェイラジオ送信機２０−１〜２０−４がＯＮ状態に設定され、中央管理装置１０から送信された所要時間情報等を含む音声情報Ａが放送エリアＡ内に放送されている。また、ハイウェイラジオ送信機２０−６〜２０−９がＯＮ状態に設定され、中央管理装置１０から送信された同様の音声情報Ｂが放送エリアＢ内に放送されている。
【０００８】
そして、これらの放送エリアＡおよび放送エリアＢに隣接する位置にラジオ放送が送信されない無音エリアａ、ｂを設けるために、これらのエリアａおよびｂに対応するハイウェイラジオ送信機２０−５およびハイウェイラジオ送信機２０−１０はＯＦＦ状態に設定され、音声情報Ａと音声情報Ｂとが混信することを防止している。
【０００９】
このハイウェイラジオシステム１では事故発生時には、図２に示すように、事故発生場所を含むエリアに対応するハイウェイラジオ送信機２０−９および２０−１０がＯＮ状態に設定され、中央管理装置１０から送信された事故発生情報等を含む音声情報Ｃが放送エリアＣに放送されるように切り替えられる。
【００１０】
また、この事故発生場所から近いエリアに対応するハイウェイラジオ送信機２０−６およびハイウェイラジオ送信機２０−７がＯＮ状態に設定され、中央管理装置１０から送信された渋滞末尾追突注意を促す音声情報Ｄが放送エリアＤに放送されるように切り替えられる。
【００１１】
そして、これらの放送エリアＣと放送エリアＤとの間にも無音エリアｃを設けるために、中央管理装置１０により、このエリアｃに対応するハイウェイラジオ送信機２０−８はＯＦＦ状態に設定され、音声情報Ｃと音声情報Ｄとが混信することを防止している。
【００１２】
このように、設定されたハイウェイラジオ送信機のＯＮ／ＯＦＦを適宜切り替えることにより、他のエリアに対して放送されている音声情報との混信を防ぎながら音声情報ごとの放送エリアを自在に調整することができ、それぞれの場所に適した交通情報を提供することができる。
【先行技術文献】
【特許文献】
【００１３】
【特許文献１】特開２００３−２４４０４９号公報
【発明の概要】
【発明が解決しようとする課題】
【００１４】
上述したように、図１に示す通常時のハイウェイラジオ送信機の設定状態から図２に示す事故発生時のハイウェイラジオ送信機の設定状態に切り替えると、ハイウェイラジオ送信機２０−９ではＯＮ状態が維持されたままで音声情報Ｂから音声情報Ｃに切り替えられることになる。
【００１５】
この場合ハイウェイラジオ送信機２０−９では、中央管理装置１０から音声情報の切り替え指示とともに音声情報Ｃを受信したときに、放送中の音声情報Ｂが終了してから音声情報Ｃの放送が開始されるため、音声情報Ｃが受信されてからも数秒〜数十秒の間は切り替え前の音声情報Ｂが放送される。
【００１６】
しかし、隣のハイウェイラジオ送信機２０−１０では音声情報Ｃを受信したときに、ＯＦＦ状態からＯＮ状態に切り替えられると同時に受信した音声情報Ｃの放送が開始されるため、図６に示すように、ハイウェイラジオ送信機２０−９とハイウェイラジオ送信機２０−１０とから異なる音声情報が放送されるｘ期間、つまりハイウェイラジオ送信機２０−９からは音声情報Ｂが放送され、ハイウェイラジオ送信機２０−１０からは音声情報Ｃが放送される期間が発生してしまうことがある。
【００１７】
このため、双方の放送が受信される場所では異なる音声情報が受信されて混信状態となり、ユーザに聞きづらい状態になってしまうという問題があった。
【００１８】
本発明は上記事情に鑑みてなされたものであり、ハイウェイラジオ放送の音声情報ごとの放送エリアを切り替えるときに、異なる音声情報が混信状態となることを防止し、好適な状態で放送を行うハイウェイラジオシステム、ハイウェイラジオ送信機、およびハイウェイラジオ送信方法を提供することを目的とする。
【課題を解決するための手段】
【００１９】
上記目的を達成するための実施形態によれば、ハイウェイラジオ送信機は、放送処理部とタイマー回路部とＯＮ／ＯＦＦ制御部とを有する。放送処理部は、中央管理装置から放送を実行させるためのＯＮ制御情報を受信したときに、受信された音声情報により放送対象エリアに放送を実行し、受信された音声情報が切り替えられたときには切り替え前の音声情報の放送が完了した後に切り替え後の音声情報の放送を開始する。タイマー回路部は、放送停止状態のときに中央管理装置からＯＮ制御情報を受信すると、予め設定された時間を計測する。ＯＮ／ＯＦＦ制御部は、タイマー回路部で計測された時間が経過したときに、放送を開始させる。
【図面の簡単な説明】
【００２０】
【図１】一実施形態によるハイウェイラジオシステムの通常時の状態を示す全体図である。
【図２】一実施形態によるハイウェイラジオシステムの事故発生時の状態を示す全体図である。
【図３】一実施形態によるハイウェイラジオシステムの構成を示すブロック図である。
【図４】従来のハイウェイラジオシステムのハイウェイラジオ送信機から放送される音声情報の切り替え状態を示す説明図である。
【図５】一実施形態によるハイウェイラジオシステムに利用するハイウェイラジオ送信機の動作を示すフローチャートである。
【図６】一実施形態によるハイウェイラジオシステムのハイウェイラジオ送信機から放送される音声情報の切り替え状態を示す説明図である。
【発明を実施するための形態】
【００２１】
〈一実施形態によるハイウェイラジオシステムの構成〉
本発明の一実施形態によるハイウェイラジオ送信機を利用したハイウェイラジオシステムの構成について、図１を参照して説明する。
【００２２】
本実施形態によるハイウェイラジオシステム１は、図１および図２に示すように、ハイウェイラジオ放送の管理を行う中央管理装置１０と、この中央管理装置１０に接続され、放送する道路に所定距離間隔で設置された複数のハイウェイラジオ送信機２０−１〜２０−１０とを有する。
【００２３】
中央管理装置１０は、ハイウェイラジオの放送対象エリアに対応するハイウェイラジオ送信機２０に、放送を実行させる（ＯＮ状態にする）ためのＯＮ制御信号を送信するとともに放送する音声情報を送信し、放送対象以外の無音エリアに対応するハイウェイラジオ送信機に、放送を停止させる（ＯＦＦ状態にする）ためのＯＦＦ制御信号を送信する。
【００２４】
ハイウェイラジオ送信機２０−１〜２０−１０はそれぞれ、図３に示すように、音声情報受信部２１と、ＯＮ／ＯＦＦ制御信号監視部２２と、タイマー回路部２３と、ＯＮ／ＯＦＦ制御部２４と、放送処理部２５とを有する。
【００２５】
音声情報受信部２１は、中央管理装置１０から送信されたハイウェイラジオ放送の音声情報を受信する。
【００２６】
ＯＮ／ＯＦＦ制御信号監視部２２は、中央管理装置１０から、ＯＮ制御信号またはＯＦＦ制御信号が送信されたか否かを監視する。
【００２７】
監視の結果、自装置がＯＦＦ状態のときにＯＮ制御信号を受信したと判断したときには、タイマー回路部２３にこれを通知する。また、自装置がＯＮ状態のときにＯＦＦ制御信号を受信したと判断したときには、ＯＮ／ＯＦＦ制御部２４にこれを通知する。
【００２８】
タイマー回路部２３は、ＯＮ／ＯＦＦ制御信号監視部２２から、自装置がＯＦＦ状態のときにＯＮ制御信号を受信したことが通知されたときには、予め設定された時間を計測し、この時間が経過したときに、ＯＮ／ＯＦＦ制御部２４にこれを通知する。
【００２９】
ＯＮ／ＯＦＦ制御部２４は、タイマー回路部２３から、ＯＮ制御信号を受信してから予め設定された時間が経過したことが通知されたときに、ＯＮ／ＯＦＦ制御信号監視部２２で受信されたＯＮ制御信号を放送処理部２５に送出する。
【００３０】
またＯＮ／ＯＦＦ制御部２４は、ＯＮ／ＯＦＦ制御信号監視部２２から、自装置がＯＮ状態のときにＯＦＦ制御信号を受信したことが通知されたときには、ＯＮ／ＯＦＦ制御信号監視部２２で受信されたＯＦＦ制御信号を放送処理部２５に送出する。
【００３１】
放送処理部２５は、ＯＮ／ＯＦＦ制御部２４からＯＮ制御信号を受信したときには、音声情報受信部２１で受信した音声情報により、ラジオ放送を開始する。
【００３２】
また放送処理部２５は、ＯＮ／ＯＦＦ制御部２４からＯＦＦ制御信号を受信したときには、ラジオ放送を停止する。
【００３３】
〈一実施形態によるハイウェイラジオシステムの動作〉
次に、本実施形態によるハイウェイラジオシステム１の動作について、図１〜図６を参照して説明する。
【００３４】
本実施形態によるハイウェイラジオシステム１では、中央管理装置１０からの指示により、高速道路上に所定間隔で設置された各ハイウェイラジオ送信機２０−１〜２０−１０の放送実行状態（ＯＮ状態）と放送停止状態（ＯＦＦ状態）とが切り替えられることにより、放送する音声情報ごとの放送エリア、および音声情報の混信を防止するための無音エリアが、適宜設定される。
【００３５】
本実施形態の通常時におけるハイウェイラジオシステム１は、図１に示すように、ハイウェイラジオ送信機２０−１〜２０−４がＯＮ状態に設定され、中央管理装置１０から送信された所要時間情報等を含む音声情報Ａにより放送エリアＡ内にラジオ放送が行われている。また、ハイウェイラジオ送信機２０−６〜２０−９がＯＮ状態に設定され、中央管理装置１０から送信された音声情報Ｂにより放送エリアＢ内にラジオ放送が行われている。
【００３６】
そして、これらの放送エリアＡおよび放送エリアＢに隣接する位置にラジオ放送が送信されない無音エリアａ、ｂを設けるために、中央管理装置１０により、これらのエリアａおよびｂに対応するハイウェイラジオ送信機２０−５およびハイウェイラジオ送信機２０−１０はＯＦＦ状態に設定され、音声情報Ａと音声情報Ｂとが混信することを防止している。
【００３７】
ここで、図１の無音エリアｂ付近で事故が発生した場合には中央管理装置１０の制御により、図２に示すように事故発生場所を含むエリアに対応するハイウェイラジオ送信機２０−９および２０−１０が放送エリアＣとしてＯＮ状態に設定され、中央管理装置１０から送信された事故発生情報等を含む音声情報Ｃが放送エリアＣに放送されるように切り替えられる。
【００３８】
また、この事故発生場所から近いエリアに対応するハイウェイラジオ送信機２０−６および２０−７が放送エリアＤとしてＯＮ状態に設定され、中央管理装置１０から送信された渋滞末尾追突注意を促す音声情報Ｄが放送エリアＤに放送されるように切り替えられる。
【００３９】
そして、これらの放送エリアＣと放送エリアＤとの間にも無音エリアｃを設けるために、中央管理装置１０により、このエリアｃに対応するハイウェイラジオ送信機２０−８はＯＦＦ状態に設定され、音声情報Ｃと音声情報Ｄとが混信することを防止している。
【００４０】
このように中央管理装置１０により音声情報（放送内容）及び放送エリアの切り替えが行われたときのハイウェイラジオ送信機２０−１〜２０−１０の動作について図４を参照して説明する。図４は、各ハイウェイラジオ送信機２０−１〜２０−１０で実行される処理を示すフローチャートである。尚、ここでは、ＯＦＦ状態からＯＮ状態になるハイウェイラジオ送信機２０−１０、ＯＮ状態が維持されたままで音声情報が切り替えられるハイウェイラジオ送信機２０−９、ＯＮ状態からＯＦＦ状態になるハイウェイラジオ送信機２０−８を例にして、ハイウェイラジオ送信機２０−９と２０−１０及びハイウェイラジオ送信機２０−７と２０−９との混信が防止されることを説明する。
【００４１】
まず、ハイウェイラジオ送信機２０−１０は、事故発生により図２に示すような設定状態に切り替えるため、中央管理装置１０からハイウェイラジオ送信機２０−１０に音声情報ＣおよびＯＮ制御信号が送信されると、ハイウェイラジオ送信機２０−１０の音声情報受信部２１において音声情報Ｃが受信され、ＯＮ／ＯＦＦ制御信号監視部２２においてＯＮ制御信号が受信されたことが検知される（Ｓ１の「ON」）。
【００４２】
また、ＯＮ／ＯＦＦ制御信号監視部２２では、自装置がＯＦＦ状態のときにＯＮ制御信号が受信したときには、タイマー回路部２３にこれが通知される（Ｓ２の「YES」）。
【００４３】
タイマー回路部２３では、ＯＮ／ＯＦＦ制御信号監視部２２から、自装置がＯＦＦ状態のときにＯＮ制御信号を受信したことが通知されたときには、予め設定された時間が計測され、この時間が経過したとき（Ｓ３の「YES」）に、ＯＮ／ＯＦＦ制御部２４にこれが通知される。
【００４４】
このタイマー回路部２３に予め設定される時間は、ハイウェイラジオ送信機２０−９で実行中である切り替え前の音声情報Ｂの放送が完了するのに十分な時間であり、たとえば３０秒である。
【００４５】
ＯＮ／ＯＦＦ制御部２４では、タイマー回路部２３から、ＯＮ制御信号を受信してから予め設定された時間が経過したことが通知されたときに、ＯＮ／ＯＦＦ制御信号監視部２２で受信されたＯＮ制御信号が放送処理部２５に送出される。
【００４６】
放送処理部２５では、ＯＮ／ＯＦＦ制御部２４からＯＮ制御信号を受信したときに、音声情報受信部２１で受信された音声情報により、ラジオ放送が開始される（Ｓ４）。
【００４７】
次に、ハイウェイラジオ送信機２０−９は、事故発生により図２に示すような設定状態に切り替えるため、中央管理装置１０からハイウェイラジオ送信機２０−９に音声情報ＣおよびＯＮ制御信号が送信されると、ハイウェイラジオ送信機２０−９の音声情報受信部２１において音声情報Ｃが受信され、ＯＮ／ＯＦＦ制御信号監視部２２においてＯＮ制御信号が受信されたことが検知される（Ｓ１の「ON」）。
【００４８】
また、ＯＮ／ＯＦＦ制御信号監視部２２では、自装置がＯＮ状態のときにＯＮ制御信号が受信したときには、タイマー回路部２３を介さず、ＯＮ／ＯＦＦ制御部２４にこれが通知される（Ｓ２の「NO」）。
【００４９】
ＯＮ／ＯＦＦ制御部２４では、ＯＮ／ＯＦＦ制御信号監視部２２で受信されたＯＮ制御信号が放送処理部２５に送出される。
【００５０】
放送処理部２５では、ＯＮ状態が維持され、音声情報Ｂの放送完了後に音声情報受信部２１で受信された音声情報Ｃにより、ラジオ放送が開始される（Ｓ５）。
【００５１】
このようにハイウェイラジオ送信機２０−１０において音声情報Ｃの放送開始がタイマー制御されることにより、図５に示すように予め設定されたｙ期間分音声情報Ｃの放送開始を遅らせ、ハイウェイラジオ送信機２０−９において音声情報Ｂの放送が確実に完了してからハイウェイラジオ送信機２０−１０において音声情報Ｃの放送が開始されるようになり、双方の放送が受信される場所で音声情報Ｂと音声情報Ｃとが同時に放送されることなく、異なる音声情報で混信することを防ぐことができる。
【００５２】
またハイウェイラジオ送信機２０−８では、ＯＮ／ＯＦＦ制御信号監視部２２において中央管理装置１０からＯＦＦ制御信号が受信されたことが検知されると（Ｓ１の「OFF」）、このＯＦＦ制御信号がＯＮ／ＯＦＦ制御部２４から放送処理部２５に送出され、ラジオ放送が停止される（Ｓ６）。
【００５３】
これにより、音声情報Ｄを放送するハイウェイラジオ送信機２０−７と音声情報Ｃを放送する２０−９との間に、無音エリアｃを設けることができ、音声情報Ｄを放送するハイウェイラジオ送信機２０−７と音声情報Ｃを放送する２０−９との混信が防止される。
【００５４】
以上の本実施形態によれば、ハイウェイラジオ放送の音声情報ごとの放送エリアを切り替えるときに、異なる音声情報が混信状態となることを防止し、好適な状態で放送を行うことができる。
【００５５】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５６】
１…ハイウェイラジオシステム
１０…中央管理装置
２０−１〜２０−１０…ハイウェイラジオ送信機
２１…音声情報受信部
２２…ＯＮ／ＯＦＦ制御信号監視部
２３…タイマー回路部
２４…ＯＮ／ＯＦＦ制御部
２５…放送処理部
【図１】
2012190325.tif 000003
【図２】
2012190325.tif 000004
【図３】
2012190325.tif 000005
【図４】
2012190325.tif 000006
【図５】
2012190325.tif 000007
【図６】
2012190325.tif 000008